【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
フード体１内に送風機１０を設け、この送風機１０でフード体１内の廃ガスを吸い込んでダクト配管３４等を通して屋外に排出するレンジフードにおいて、
前記送風機１０を、側面に吸気口２１を有し外周面一部に排気口２２を有するファンケーシング１１にファン１２を設けたものとし、
前記送風機１０の吸気口２１を前記フード体１内に開口し、前記排気口２２を前記ダクト配管３４に連通し、
前記ファンケーシング１１内におけるファン１２の外周に、円筒状のフィルター１４を設け、
前記ファン１２の内部又は前記フィルター１４に洗浄液を送水する機構を設け、
該送水機構で洗浄液を送水する時に、前記ファン１２を回転するように構成したことを特徴とするレンジフード。
【請求項２】
送風機１０は、ファン１２を回転するファン用モータ１３を備え、
送水機構は、ポンプ用モータ３１ａで駆動される洗浄液ポンプ３１を備え、
前記各モータを駆動制御するコントローラ４４を設け、
該コントローラ４４は、起動信号が入力されると前記ファン用モータ１３を駆動してファン１２を回転し、かつ前記ポンプ用モータ３６を停止し、清掃信号が入力されると前記ファン用モータ１３を駆動してファン１２を回転し、かつ前記ポンプ用モータ３６を駆動して洗浄液を送水するようにした請求項１記載のレンジフード。
【請求項３】
前記ファンケーシング１１の側板部に開口１８を有し、この開口１８にベルマウス１９を取付けて吸気口２１を形成し、
前記フィルター１４は、前記側板部の開口１８より挿入され、ベルマウス１９で支持されるようにした請求項１又は２記載のレンジフード。
【請求項４】
前記フィルター１４は、金属製帯板スリットを所定の間隔で縦設もしくは横設し、そのスリット間の細長舌片２４を任意方向に屈折傾斜させ、その細長舌片２４相互間を通気孔２５としたものを、ファンケーシング１１内に円筒状に配置したフィルターとした請求項１〜３いずれか１項記載のレンジフード。
【手続補正２】
【補正対象書類名】明細書
【補正対象項目名】０００７
【補正方法】変更
【補正の内容】
【０００７】
第１の発明は、フード体１内に送風機１０を設け、この送風機１０でフード体１内の廃ガスを吸い込んでダクト配管３４等を通して屋外に排出するレンジフードにおいて、
前記送風機１０を、側面に吸気口２１を有し外周面一部に排気口２２を有するファンケーシング１１にファン１２を設けたものとし、
前記送風機１０の吸気口２１を前記フード体１内に開口し、前記排気口２２を前記ダクト配管３４に連通し、
前記ファンケーシング１１内におけるファン１２の外周に、円筒状のフィルター１４を設け、
前記ファン１２の内部又は前記フィルター１４に洗浄液を送水する機構を設け、
該送水機構で洗浄液を送水する時に、前記ファン１２を回転するように構成したことを特徴とするレンジフードである。
【手続補正３】
【補正対象書類名】明細書
【補正対象項目名】０００８
【補正方法】変更
【補正の内容】
【０００８】
第２の発明は、第１の発明において、送風機１０は、ファン１２を回転するファン用モータ１３を備え、
送水機構は、ポンプ用モータ３１ａで駆動される洗浄液ポンプ３１を備え、
前記各モータを駆動制御するコントローラ４４を設け、
該コントローラ４４は、起動信号が入力されると前記ファン用モータ１３を駆動してファン１２を回転し、かつ前記ポンプ用モータ３６を停止し、清掃信号が入力されると前記ファン用モータ１３を駆動してファン１２を回転し、かつ前記ポンプ用モータ３６を駆動して洗浄液を送水するようにしたレンジフードである。
【手続補正４】
【補正対象書類名】明細書
【補正対象項目名】０００９
【補正方法】変更
【補正の内容】
【０００９】
第３の発明は、第１又は第２の発明において、前記ファンケーシング１１の側板部に開口１８を有し、この開口１８にベルマウス１９を取付けて吸気口２１を形成し、
前記フィルター１４は、前記側板部の開口１８より挿入され、ベルマウス１９で支持されるようにしたレンジフードである。
【手続補正５】
【補正対象書類名】明細書
【補正対象項目名】００１０
【補正方法】変更
【補正の内容】
【００１０】
第４の発明は、第１〜第３いずれか１つの発明において、前記フィルター１４は、金属製帯板スリットを所定の間隔で縦設もしくは横設し、そのスリット間の細長舌片２４を任意方向に屈折傾斜させ、その細長舌片２４相互間を通気孔２５としたものを、ファンケーシング１１内に円筒状に配置したフィルターとしたレンジフードである。
【手続補正６】
【補正対象書類名】明細書
【補正対象項目名】００１１
【補正方法】変更
【補正の内容】
【００１１】
第１の発明によれば、ファンケーシング１１内のファン１２の外周に筒状のフィルター１４を設けたことにより、そのフィルター１４の面積は、送風機１０の吸気口２１の面積よりも広く且つファン１２に近接する関係で高速な気流が作用する。それ故、広い面積のフィルター１４の全面から均一に廃ガスを通過させて通気抵抗を小さく抑制しつつ捕獲された油脂分をファン１２による高速な気流でファンケーシング１１の内面に吹き飛ばして目詰まりを防止するから、油脂分の捕獲効率を常時高効率に維持することができる。
また、送風機１０前方のフィルター１４やその取付部材等が一切不要になり、フード体１内の清掃が行い易くなるばかりでなく、廃ガスの捕獲空間を広く確保して室内への廃ガスの漏気を防止でき、フード体１内には送風機１０のみが設置させるだけになり、フード体１に顧客のニーズに応じる様々な形態上のバリエイションを持たせることも可能となる。
また、ファンケーシング１１内の空間を利用してフィルター１４を配設するものであるから、大掛かりな改良が不要で簡単な構造の付加で対処可能で、提供コストを低減できる。
また、フィルター１４に付着した油脂分を洗浄液で洗浄してフィルター１４を清掃できるから、フィルター１４を外して清掃する必要がなく、使用者が面倒なフィルター１４の清掃作業を行なう必要がなくなる。
また、送水機構が洗浄液を送水する時にファン１２が回転するので、送水された洗浄液はファン１２の回転によって勢い良く外周に飛散してフィルター１４に衝突し、かつフィルター１４を通してファンケーシング１１の内面に衝突する。
これによって、フィルター１４を効率良く洗浄液で清掃できるし、ファン１２、ファンケーシング１１の内面に付着した油脂分をも洗浄液で洗浄できる。
【手続補正７】
【補正対象書類名】明細書
【補正対象項目名】００１２
【補正方法】変更
【補正の内容】
【００１２】
第２の発明によれば、コントローラ４４に起動信号を入力することで、調理時に発生する廃ガスを屋外に排出できる。
また、コントローラ４４に清掃信号を入力することでフィルター１４を清掃できる。
【手続補正８】
【補正対象書類名】明細書
【補正対象項目名】００１３
【補正方法】変更
【補正の内容】
【００１３】
第３の発明によれば、ファンケーシング１１の開口１８からフィルター１４を挿入し、その開口１８にベルマウス１９を取付けることでフィルター１４をファンケーシング１１内に取付けできる。
【手続補正９】
【補正対象書類名】明細書
【補正対象項目名】００１４
【補正方法】変更
【補正の内容】
【００１４】
第４の発明によれば、ファン１２を回転して洗浄液を送水することで、フィルター１４に付着した油脂分を効率良く、十分に洗浄できる。